(57)【特許請求の範囲】
【請求項１】
被加熱物を収納する加熱室と、前記加熱室の開口面に設けた開閉自在の扉と、前記扉に支点を持つドアアームと、前記扉の開閉に連動して動く作動レバーと、一端を前記ドアアームに他端を前記作動レバーにそれぞれ係合し前記扉が開く動作に連動する連結レバーと、復帰ばねを内蔵し衝撃力を緩衝するダンパーを備え、
前記ダンパーは作動しないタイミングを有するとともに、前記扉を閉じる時は前記扉が閉時終端部に到達する前から前記作動レバーを介して前記ダンパーを作動させ前記ダンパーの抗力により前記扉の慣性衝撃荷重を受け、かつ前記扉を開いた時は前記扉が開時終端部に到達する前から前記ドアアーム、前記連結レバー、および前記作動レバーを順次介して前記ダンパーを作動させ前記ダンパーの抗力により前記扉の慣性衝撃荷重を受けて衝撃力を消失させる構成とした調理器。
【発明の詳細な説明】
【技術分野】
【０００１】
本発明は、扉の開閉時に調理器に加わる衝撃力を緩和させた調理器に関するものである。
【背景技術】
【０００２】
図６は従来の調理器の要部側面図で、扉の開閉時に調理器に加わる衝撃力を緩衝するダンパーを搭載した一般的な調理器である。
【０００３】
以下、図面に基づいて説明する。従来、この種の調理器１には内部に加熱室２を配置し、被加熱物３を出し入れするため加熱室２の開口部には扉４が装着され、扉４にはドアアーム５と、ドアガイドローラ６と、ドアバネ７により、ヒンジ８を支点として開閉自在な構成となっている。 調理器１の外装と加熱室２の空間には高周波発振器、ヒータ、制御基板等の各種の電気部品９が配置されている。そして、扉４を閉じる時には、ドアアーム５を介してドアバネ７による調理器１側からの付勢に対する衝撃力を緩和させるため、ダンパー１０が設けられていたが、扉４を開けた時にはドアアーム５が調理器１側に固定されたドアガイドローラ６に当り、調理器１は扉４の衝撃を受けていた。
【発明の開示】
【発明が解決しようとする課題】
【０００４】
しかしながら、従来の調理器１の構成では、扉４を開いて終端部に到達した時に、ドアアーム５を介してドアガイドローラ６から衝撃力が調理器１全体に加わり被加熱物３や、調理器１側の電気部品９が振動し、液状の食品が器から飛散したり、電気部品９の品質に悪影響を与える不具合が生じていた。
【０００５】
本発明は、前記課題を解決するもので、扉を閉じる時はもとより、扉を開けた時にも調理器に衝撃を与えない使い勝手の良い調理器を提供することを目的とする。
【課題を解決するための手段】
【０００６】
前記従来の課題を解決するために、本発明の調理器は、被加熱物を収納する加熱室と、前記加熱室の開口面に設けた開閉自在の扉と、前記扉に支点を持つドアアームと、前記扉の開閉に連動して動く作動レバーと、一端を前記ドアアームに他端を前記作動レバーにそれぞれ係合し前記扉が開く動作に連動する連結レバーと、復帰ばねを内蔵し衝撃力を緩衝するダンパーを備え、前記ダンパーは作動しないタイミングを有するとともに、前記扉を閉じる時は前記扉が閉時終端部に到達する前から前記作動レバーを介して前記ダンパーを作動させ前記ダンパーの抗力により前記扉の慣性衝撃荷重を受け、かつ前記扉を開いた時は前記扉が開時終端部に到達する前から前記ドアアーム、前記連結レバー、および前記作動レバーを順次介して前記ダンパーを作動させ前記ダンパーの抗力により前記扉の慣性衝撃荷重を受け衝撃力を消失させる構成としたものである。
【発明の効果】
【０００７】
本発明は、扉を閉じる時、開ける時の両方において扉が終端部に到達した時には衝撃力が消失し調理器側への衝撃はなくなるとともに、扉の開閉時に重たく違和感を感じさせたり、開閉に時間を要してしまうことのない高品質な調理器が提供できる。
【発明を実施するための最良の形態】
【０００８】
請求項１に記載の発明は、被加熱物を収納する加熱室と、前記加熱室の開口面に設けた開閉自在の扉と、前記扉に支点を持つドアアームと、前記扉の開閉に連動して動く作動レバーと、一端を前記ドアアームに他端を前記作動レバーにそれぞれ係合し前記扉が開く動作に連動する連結レバーと、復帰ばねを内蔵し衝撃力を緩衝するダンパーを備え、前記ダンパーは作動しないタイミングを有するとともに、前記扉を閉じる時は前記扉が閉時終端部に到達する前から前記作動レバーを介して前記ダンパーを作動させ前記ダンパーの抗力により前記扉の慣性衝撃荷重を受け、かつ前記扉を開いた時は前記扉が開時終端部に到達する前から前記ドアアーム、前記連結レバー、および前記作動レバーを順次介して前記ダンパーを作動させ前記ダンパーの抗力により前記扉の慣性衝撃荷重を受け衝撃力を消失させ、加熱室内の液状の食品が器から飛散したりすることを防ぐと共に、調理器内の電気部品の振動による品質への悪影響を解消させるものである。
【０００９】
以下、本発明の一実施例を図面に基づいて説明する。なお、従来例と同一構成には同一符号を付した。
【００１０】
（実施の形態１）
図１は本発明の実施の形態１の調理器の扉閉時の要部側面図、図２は同調理器の扉開時の要部側面図であり、図３は同調理器の斜視図である。また、図４は同調理器の扉の開閉時におけるダンパーの抗力領域を示す図、図５は同調理器のダンパーのストロークに対する抗力特性図である。
【００１１】
本発明の特徴は、加熱室２内の被加熱物３を出し入れする扉５の開閉動作において、扉４を閉じる前と、扉４を開いて終端部に到達する前に、衝撃力を緩衝するダンパーを構成することである。
【００１２】
以下、実施例に従い詳細に説明する。
【００１３】
図１ないし図３において、調理器１は内部配置する加熱室２の中に電熱や高周波で加熱される被加熱物３を載置し、加熱室２の開口部に装着した扉４の開閉によって、被加熱物３の出し入れを行う構成としている。そして、扉４は扉４に支点を持つドアアーム５と、調理器１側に固定、係止されたドアガイドローラ６、ドアバネ７の付勢によりヒンジ８を支点として開閉自在に装着されている。また、調理器１の外装と加熱室２の空間には高周波発振器や、ヒータ、制御基板等の各種の電気部品９が配置されている。
【００１４】
次に本発明の要部である扉４とダンパー１０の関連動作を説明する。扉４を閉じる時は図１に示す通り、ドアバネ７等により付勢された扉４の慣性衝撃荷重Ｐ１は調理器１側の支点A１１で回動する作動レバー１２の凸部１３を押して矢印ａ方向の動きでダンパー１０に伝達されダンパー１０の緩衝効果で消失される構成である。ダンパー１０は緩衝条件により、オイル、エアー、グリス、摩擦方式など各種存在する。なお、今回のダンパー１０はダンパー１０に対する荷重が開放された時には元の状態に復帰するための復帰バネ１４が内蔵されている必要がある。
【００１５】
また、扉４を開ける時は図２で示すように、のぞき窓ガラス１５等の重量物を内蔵する扉４の自重による慣性衝撃荷重Ｐ２は扉４の動きと連動するドアアーム５に固定されたストッパーピン１６の動きにより、連結レバー１８を矢印ｂで示す開口側へ押す。すると支点Ｂ１７の働きで連結レバー１８の上部は開口と反対側の矢印ｃ方向へ回動する。そして、連結レバー１８の動きに連動して作動レバー１２の凸部が矢印ｄで示すダンパー１０方向に動き、ダンパー１０伝達されて慣性衝撃荷重Ｐ２は消失する構成である。
【００１６】
ダンパー抗力を作動させるタイミングは限定されるものではなくいつ作動させてもよい。だだし、最初から作動させると扉の開閉時に重たく違和感を感じ、開閉に時間を要してしまう。また、扉を閉じる直前あるいは、開く直前のダンパー抗力を作動させてもよいが、あまり直前だとダンパーまたは組立時のバラツキによりうまく作動しない場合がある。従って、ダンパー抗力を作動させる実用的なタイミングとしては扉が閉時終端部から１〜３０°の角度の時、また、開時終端部から１〜３０°の角度の時がよい。
【００１７】
以下、扉４の動きと、ダンパー１０の作動範囲の一例を図４で説明する。扉４を閉じる時は、扉４が閉時終端部から１〜３０°の角度からダンパー１０を作動させダンパー１０の抗力により扉４の慣性衝撃荷重Ｐ１を受け、同じく扉４を開いた時には、扉４が開時終端部から１〜３０°の角度からダンパー１０を作動させダンパー１０の抗力により扉４の慣性衝撃荷重Ｐ２を受け衝撃力を消失させている。
【００１８】
次に、ダンパー１０の特性は図５で示すように、ダンパー１０の抗力はストロークの最初の段階で強く働くタイプＡ、最初は弱くストロークが増すとともに抗力が強くなるタイプＢ、ストロークの変化に対し平均的な抗力を保つタイプＣと各種存在する。本発明は上
記ダンパー構成のなかで扉４と作動レバー１２を介してダンパー１０の接合時の瞬間的衝撃荷重を緩和し、スムーズに扉の開閉をさせるためタイプＢ、タイプＣを採用している。通常、タイプＡはダンパーのシリンダーを単孔オリフィス構造、タイプＢ、タイプＣは複合オリフィス構造や揺動式などがある。
【産業上の利用可能性】
【００１９】
以上のように、本発明によれば、扉の開閉時に生じる調理器への衝撃は消失し、液状の食品がこぼれたり、電気部品が振動で不良をおこすことがなくなるものである。
【図面の簡単な説明】
【００２０】
【図１】本発明の実施の形態１における調理器の扉閉時の要部側面図
【図２】同調理器の扉開時の要部側面図
【図３】同調理器の斜視図
【図４】同調理器の扉の開閉時におけるダンパーの抗力領域を示す図
【図５】同調理器のダンパーのストロークに対する抗力特性図
【図６】従来の調理器の要部側面図
【符号の説明】
【００２１】
１  調理器
２  加熱室
３  被加熱物
４  扉
５  ドアアーム
１０  ダンパー
１２  作動レバー
１８  連結レバー
【図１】
0004289423.tif 000002
【図２】
0004289423.tif 000003
【図３】
0004289423.tif 000004
【図４】
0004289423.tif 000005
【図５】
0004289423.tif 000006
【図６】
0004289423.tif 000007